(57)【要約】【課題】消費電力を低減できる駆動装置、電子機器及び駆動方法を提供すること。【解決手段】駆動装置は、２つの電極と、前記２つの電極の間に配置された電気泳動粒子を含む電気泳動素子と、を含み、少なくとも第１色と第２色とを表示可能な電気泳動表示装置の、前記２つの電極の間に電圧を供給して前記電気泳動表示装置を駆動する駆動部と、温度を検出する温度検出部と、第１電圧を生成する第１電源部と、前記第１電圧よりも高い第２電圧を生成する第２電源部と、を含み、前記駆動部は、前記温度が基準値以上の場合に、前記第２電源部を停止させ、前記第１電圧に基づいて前記電気泳動表示装置を駆動し、前記温度が基準値未満の場合に、前記第２電圧に基づいて前記電気泳動表示装置を駆動する。【選択図】図１
2015184521.tif 000002
【特許請求の範囲】
【請求項１】
２つの電極と、前記２つの電極の間に配置された電気泳動粒子を含む電気泳動素子と、を含み、少なくとも第１色と第２色とを表示可能な電気泳動表示装置の、前記２つの電極の間に電圧を供給して前記電気泳動表示装置を駆動する駆動部と、
温度を検出する温度検出部と、
第１電圧を生成する第１電源部と、
前記第１電圧よりも高い第２電圧を生成する第２電源部と、
を含み、
前記駆動部は、
前記温度が基準値以上の場合に、前記第２電源部を停止させ、前記第１電圧に基づいて前記電気泳動表示装置を駆動し、
前記温度が基準値未満の場合に、前記第２電圧に基づいて前記電気泳動表示装置を駆動する、駆動装置。
【請求項２】
請求項１に記載の駆動装置において、
前記駆動部は、データ線を駆動するデータ線駆動回路と、走査線を駆動する走査線駆動回路と、を含み、
前記第１電圧は、前記データ線駆動回路の駆動電圧又は前記走査線駆動回路の駆動電圧である、駆動装置。
【請求項３】
請求項１又は２に記載の駆動装置と、
前記電気泳動表示装置と、
を含む、電子機器。
【請求項４】
２つの電極と、前記２つの電極の間に配置された電気泳動粒子を含む電気泳動素子と、を含み、少なくとも第１色と第２色とを表示可能な電気泳動表示装置の、前記２つの電極の間に電圧を供給して前記電気泳動表示装置を駆動する駆動方法であって、
温度を検出する温度検出工程と、
前記温度が基準値以上の場合に、第１電圧を生成し、前記第１電圧に基づいて前記電気泳動表示装置を駆動する第１駆動工程と、
前記温度が基準値未満の場合に、前記第１電圧よりも高い第２電圧を生成し、前記第２電圧に基づいて前記電気泳動表示装置を駆動する第２駆動工程と、
を含み、
前記第１駆動工程において、前記第２電圧を生成しない、駆動方法。
【発明の詳細な説明】
【技術分野】
【０００１】
本発明は、駆動装置、電子機器及び駆動方法に関する。
【背景技術】
【０００２】
電気泳動表示装置を用いた電子機器が知られている。特許文献１には、アクティブマトリクス方式の電気泳動表示装置が開示されている。
【先行技術文献】
【特許文献】
【０００３】
【特許文献１】特開２００８−２６８８５３号公報
【発明の概要】
【発明が解決しようとする課題】
【０００４】
電気泳動表示装置の書き換え速度は温度に依存し、低温時には書き換え速度が遅くなる傾向にある。そのため、特許文献１に示される例のように、電気泳動表示装置を駆動するためには、他の電子部品よりも高い電圧が必要になることがある。この場合には、電気泳動表示装置を駆動する駆動回路は、出力電圧が異なる複数の電源回路（例えば、昇圧回路など）を備える必要があるので、消費電力を増大させる要因になっていた。
【０００５】
本発明は、以上のような技術的課題に鑑みてなされたものである。本発明のいくつかの態様によれば、消費電力を低減できる駆動装置、電子機器及び駆動方法を提供することができる。
【課題を解決するための手段】
【０００６】
本発明は前述の課題の少なくとも一部を解決するためになされたものであり、以下の態様又は適用例として実現することが可能である。
【０００７】
［適用例１］
本適用例に係る駆動装置は、２つの電極と、前記２つの電極の間に配置された電気泳動粒子を含む電気泳動素子と、を含み、少なくとも第１色と第２色とを表示可能な電気泳動表示装置の、前記２つの電極の間に電圧を供給して前記電気泳動表示装置を駆動する駆動部と、温度を検出する温度検出部と、第１電圧を生成する第１電源部と、前記第１電圧よりも高い第２電圧を生成する第２電源部と、を含み、前記駆動部は、前記温度が基準値以上の場合に、前記第２電源部を停止させ、前記第１電圧に基づいて前記電気泳動表示装置を駆動し、前記温度が基準値未満の場合に、前記第２電圧に基づいて前記電気泳動表示装置を駆動する、駆動装置である。
【０００８】
本適用例によれば、温度が基準値以上の場合には第２電源部を停止させるので、消費電力を低減できる駆動装置を実現できる。
【０００９】
［適用例２］
上述の駆動装置において、前記駆動部は、データ線を駆動するデータ線駆動回路と、走査線を駆動する走査線駆動回路と、を含み、前記第１電圧は、前記データ線駆動回路の駆動電圧又は前記走査線駆動回路の駆動電圧であってもよい。
【００１０】
本適用例によれば、電気泳動表示装置の２つの電極の間に供給する電圧と、データ線駆動回路の駆動電圧又は走査線駆動回路の駆動電圧とに、第１電圧を用いることができるの
で、第１電源部を共用できる。したがって、消費電力を低減できる駆動装置を実現できる。
【００１１】
［適用例３］
本適用例に係る電子機器は、上述のいずれかの駆動装置と、前記電気泳動表示装置と、を含む、電子機器である。
【００１２】
本適用例によれば、消費電力を低減できる駆動装置を含んでいるので、消費電力を低減できる電子機器を実現できる。
【００１３】
［適用例４］
本適用例に係る駆動方法は、２つの電極と、前記２つの電極の間に配置された電気泳動粒子を含む電気泳動素子と、を含み、少なくとも第１色と第２色とを表示可能な電気泳動表示装置の、前記２つの電極の間に電圧を供給して前記電気泳動表示装置を駆動する駆動方法であって、温度を検出する温度検出工程と、前記温度が基準値以上の場合に、第１電圧を生成し、前記第１電圧に基づいて前記電気泳動表示装置を駆動する第１駆動工程と、前記温度が基準値未満の場合に、前記第１電圧よりも高い第２電圧を生成し、前記第２電圧に基づいて前記電気泳動表示装置を駆動する第２駆動工程と、を含み、前記第１駆動工程において、前記第２電圧を生成しない、駆動方法である。
【００１４】
本適用例によれば、温度が基準値以上の場合には第２電圧を生成しないので、消費電力を低減できる駆動方法を実現できる。
【図面の簡単な説明】
【００１５】
【図１】本実施形態に係る駆動装置１の回路図である。
【図２】図１に示される画素１１３に対応する駆動装置１の回路図である。
【図３】図３（Ａ）〜図３（Ｃ）は、電気泳動表示装置１００の要部を示す断面図である。
【図４】駆動装置１の電源部３０の回路図である。
【図５】本実施形態に係る駆動方法の概要を示すフローチャートである。
【図６】図６（Ａ）及び図６（Ｂ）は、本実施形態に係る電子機器の例の外観図である。
【発明を実施するための形態】
【００１６】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００１７】
１．駆動装置
図１は、本実施形態に係る駆動装置１の回路図である。図１に示される例では、駆動装置１は、アクティブマトリックス方式の電気泳動表示装置１００（後述）を駆動する。電気泳動表示装置１００は、文字、数字、写真、模様、イラスト等の様々な画像を表示可能に構成されている。
【００１８】
本実施形態に係る駆動装置１は、駆動部１０と、温度を検出する温度検出部２０と、電源部３０と、を含んで構成されている。駆動装置１は、少なくとも一部が半導体装置として構成されていてもよい。
【００１９】
駆動部１０は、２つの電極（画素電極４４０及び共通電極４５０；後述）と、２つの電
極（画素電極４４０及び共通電極４５０）の間に配置された電気泳動粒子（白色粒子４３１及び黒色粒子４３２；後述）を含む電気泳動素子４００と、を含み、少なくとも第１色と第２色とを表示可能な電気泳動表示装置１００の、２つの電極（画素電極４４０及び共通電極４５０）の間に電圧を供給して電気泳動表示装置１００を駆動する。
【００２０】
駆動部１０は、複数のデータ線１１１を駆動するデータ線駆動回路１１と、複数の走査線１１２を駆動する走査線駆動回路１２と、共通電源変調回路１３と、データ線駆動回路１１、走査線駆動回路１２及び共通電源変調回路１３を制御する制御部１４と、を含んで構成されている。
【００２１】
データ線１１１と走査線１１２との交差位置に対応して、複数の画素１０３が電気泳動表示装置１００に設けられている。
【００２２】
データ線駆動回路１１は、ｎ本のデータ線１１１（Ｘ１、Ｘ２、・・・、Ｘｎ）により各画素１１３に接続されている。データ線駆動回路１１は、制御部１４による制御にしたがって、画素１１３のそれぞれに対応する１ビットの画像データを規定する画像信号を画素１１３に供給する。なお、本実施形態では、データ線駆動回路１１は、画素データ「０」を規定する場合には、ローレベルの画像信号を画素１１３に供給し、画素データ「１」を規定する場合には、ハイレベルの画像信号を画素１１３に供給するものとする。
【００２３】
走査線駆動回路１２は、ｍ本の走査線１１２（Ｙ１、Ｙ２、・・・、Ｙｍ）により各画素１１３に接続されている。走査線駆動回路１２は、制御部１４による制御にしたがって、１行目からｍ行目までの走査線１１２を順次選択することで、画素１１３に設けられた駆動用ＴＦＴ２００（図２参照；後述）のオンタイミングを規定する選択信号を供給する。
【００２４】
画素１１３には、駆動部１０のＶＣＯＭ端子、Ｓ１端子、Ｓ２端子、ＶＥＰ端子、ＶＳＳ端子を介して、それぞれ、共通電源変調回路１３から延びる共通電極配線１２０、第１パルス信号線１２１、第２パルス信号線１２２、高電位電源線１２３、低電位電源線１２４が接続されている。
【００２５】
共通電源変調回路１３は、制御部１４による制御にしたがって、上述の配線のそれぞれに供給する各種信号を生成する。共通電源変調回路１３は、これら各配線の電気的な接続及び切断（ハイインピーダンス化、Ｈｉ−Ｚ）を行う。
【００２６】
図２は、図１に示される画素１１３に対応する駆動装置１の回路図である。なお、図１と同じ配線には同じ番号を付しており、説明は省略する。また、全画素に共通の共通電極配線１２０については記載を省略している。
【００２７】
図２に示されるように、画素１１３には、駆動用ＴＦＴ（Thin Film Transistor）２００と、ラッチ回路２０１と、スイッチ回路２０２が設けられている。画素１１３は、ラッチ回路２０１により画像信号を電位として保持するＳＲＡＭ（Static Random Access Memory）方式の構成となっている。
【００２８】
駆動用ＴＦＴ２００は、Ｎチャネル型ＭＯＳ（Metal Oxide Semiconductor）トランジスターからなる画素スイッチング素子である。駆動用ＴＦＴ２００のゲート端子は走査線１１２に接続され、ソース端子はデータ線１１１に接続され、ドレイン端子はラッチ回路２０１のデータ入力端子に接続されている。ラッチ回路２０１は転送インバーター２０１ｔと帰還インバーター２０１ｆとを備えている。転送インバーター２０１ｔ及び帰還インバーター２０１ｆには、高電位電源線１２３と低電位電源線１２４との電位差に相当する
電源電圧が供給される。
【００２９】
スイッチ回路２０２は、トランスミッションゲートＴＧ１及びトランスミッションゲートＴＧ２からなり、ラッチ回路２０１に記憶された画素データのレベルに応じて、画素電極４４０（図３（Ｂ）、図３（Ｃ）参照；後述）に信号を出力する。
【００３０】
ラッチ回路２０１に画素データ「１」（ハイレベルの画像信号）が記憶されて、トランスミッションゲートＴＧ１がオン状態となると、スイッチ回路２０２は第１パルス信号線１２１に伝搬する信号を出力する。一方、ラッチ回路２０１に画素データ「０」（ローレベルの画像信号）が記憶されて、トランスミッションゲートＴＧ２がオン状態となると、スイッチ回路２０２は第２パルス信号線１２２に伝搬する信号を出力する。このような回路構成により、それぞれの画素１０３の画素電極４４０に対して供給する電位が制御可能となる。
【００３１】
駆動部１０は、ラッチ回路２０１に画素データを書き込む際には、データ線１１１及び高電位電源線１２３に第１電圧Ｖ１（例えば、５Ｖ）、走査線１１２に第３電圧Ｖ３（例えば、７．５Ｖ）を印加してもよい。また、駆動部１０は、画素１１３に電圧を供給する場合には、高電位電源線１２３に第１電圧Ｖ１よりも高い第２電圧Ｖ２（例えば、１５Ｖ）を印加してもよい。これによって、第１パルス信号線１２１及び第２パルス信号線１２２にも第１電圧Ｖ１よりも高い第２電圧Ｖ２の信号を用いることができる。
【００３２】
また、駆動部１０は、ラッチ回路２０１に画素データを書き込む際には、データ線１１１及び高電位電源線１２３に第１電圧Ｖ１（例えば、５Ｖ）、走査線１１２に第３電圧Ｖ３（例えば、７．５Ｖ）を印加してもよい。また、駆動部１０は、画素１１３に電圧を供給する場合にも、高電位電源線１２３に第１電圧Ｖ１を印加してもよい。これによって、高電位電源線１２３の電位を切り替えずに動作することができる。
【００３３】
図３（Ａ）〜図３（Ｃ）は、電気泳動表示装置１００の要部を示す断面図である。図３（Ａ）は、本実施形態の電気泳動素子４００の構成を示す図である。電気泳動素子４００は、画素電極４４０と共通電極４５０との間に配置されている。また、電気泳動素子４００は、素子基板４１０と対向基板４２０（図３（Ｂ）及び図３（Ｃ）参照）との間に配置されている。
【００３４】
図３（Ａ）に示される例では、電気泳動素子４００は、二粒子系マイクロカプセル型の電気泳動素子である。電気泳動素子４００は、複数のマイクロカプセル４３０を配列して構成される。マイクロカプセル４３０には、例えば無色透明な分散液と、複数の白色の電気泳動粒子（白色粒子４３１）と、複数の黒色の電気泳動粒子（黒色粒子４３２）とが封入されている。本実施形態では、白色粒子４３１は負に帯電しており、黒色粒子４３２は正に帯電している。なお、電気泳動粒子の色は黒色及び白色に代えて、赤色及び白色など、他の組み合わせであってもよい。また、本明細書においてある物が「無色」とは、その物を介して対象物を見た場合に、その物を介さずに見た場合と比較して、対象物の色が実質的に同じと認識できる状態を言う。また、ある物が「透明」であるとは、その物を介して対象物を視認可能な状態を言う。
【００３５】
図３（Ｂ）は、電気泳動表示装置１００の部分断面図である。素子基板４１０と対向基板４２０は、マイクロカプセル４３０を配列してなる電気泳動素子４００を狭持している。電気泳動表示装置１００は、素子基板４１０の電気泳動素子４００側に、複数の画素電極４４０が形成された駆動電極層１４１０が設けられている。図５（Ｂ）では、画素電極４４０として画素電極４４０Ａと画素電極４４０Ｂが示されている。画素電極４４０により、画素ごとに電位（例えば、電位Ｖａ及び電位Ｖｂ）を供給することが可能である。こ
こで、画素電極４４０Ａを有する画素を画素１１３Ａとし、画素電極４４０Ｂを有する画素を画素１１３Ｂとする。画素１１３Ａ及び画素１１３Ｂは、画素１１３（図１及び図２参照）に対応する２つの画素である。
【００３６】
一方、対向基板４２０は透明基板であり、電気泳動表示装置１００において対向基板４２０側に画像表示がなされる。電気泳動表示装置１００は、対向基板４２０の電気泳動素子４００側に、平面形状の共通電極４５０が形成された共通電極層１４２０が設けられている。なお、共通電極４５０は透明電極である。共通電極４５０は、画素電極４４０と異なり全画素に共通の電極であり、電位ＶＣＯＭが供給される。
【００３７】
共通電極層１４２０と駆動電極層１４１０との間に設けられた電気泳動表示層１４３０に電気泳動素子４００が配置されており、電気泳動表示層１４３０が表示領域となる。画素電極４４０（例えば、画素電極４４０Ａ及び画素電極４４０Ｂ）と共通電極４５０との間の電位差に応じて、画素毎に所望の色を表示させることができる。
【００３８】
図３（Ｂ）は、共通電極４５０側の電位ＶＣＯＭが画素１１３Ａの画素電極４４０Ａの電位Ｖａ及び画素１１３Ｂの画素電極４４０Ｂの電位Ｖｂよりも高電位の状態を示している。このとき、画素電極４４０Ａ及び画素電極４４０Ｂと共通電極４５０との間には、電位ＶＣＯＭを基準として負の電圧が印加されるため、負に帯電した白色粒子４３１が共通電極４５０側に引き寄せられ、正に帯電した黒色粒子４３２が画素電極４４０Ａ及び画素電極４４０Ｂ側に引き寄せられ、画素１１３Ａ及び画素１１３Ｂは白色（第１色の一例）を表示していると視認される。
【００３９】
図３（Ｃ）は、図３（Ｂ）の状態から、共通電極４５０側の電位ＶＣＯＭが画素１１３Ａの画素電極４４０Ａの電位Ｖａよりも低電位となり、画素１１３Ｂの画素電極４４０Ｂの電位Ｖｂと同電位となった状態を示している。このとき、画素電極４４０Ａと共通電極４５０との間には、電位ＶＣＯＭを基準として正の電圧が印加されるため、正に帯電した黒色粒子４３２が共通電極４５０側に引き寄せられ、負に帯電した白色粒子４３１が画素電極４４０Ａ側に引き寄せられ、画素１１３Ａは白色から黒色（第２色の一例）に変化したと視認される。一方、画素電極４４０Ｂと共通電極４５０との間では、電位差が生じていないため、黒色粒子４３２と白色粒子４３１は図５（Ｂ）の位置でほとんど移動せず、画素１１３Ａは白色のまま変化していないと視認される。
【００４０】
なお、画素電極４４０と共通電極４５０との電位差の大きさあるいは電位差を生じさせる時間を制御することで、黒色粒子４３２と白色粒子４３１を両電極間の任意の中間位置で静止させれば、黒色と白色の間の任意の中間色（灰色）を表示させることもできる。
【００４１】
このように、電気泳動表示装置１００は、一定時間、電力が供給されなくても画像を保持できるため低消費電力動作が可能であり、また、１８０度視認可能であるため、腕時計等の携帯型の電子時計の表示部としての使用にも適している。
【００４２】
図１に戻り、温度検出部２０は、温度を検出する。温度検出部２０は、検出した温度に関する情報を駆動部１０の制御部１４に出力する。温度検出部２０は、検出した温度に関する情報をデジタルデータとして出力してもよいし、アナログ電圧値として出力してもよい。温度検出部２０は、電気泳動表示装置１００の近傍の温度を検出できるように構成されていることが好ましい。
【００４３】
電源部３０は、駆動部１０で用いる電圧を生成する。図１に示される例では、電源部３０は、電池４０が出力する電圧Ｖｂａｔに基づいて電圧を生成する。
【００４４】
図４は、駆動装置１の電源部３０の回路図である。電源部３０は、第１電圧Ｖ１を生成する第１電源部３１と、第１電圧Ｖ１よりも高い第２電圧Ｖ２を生成する第２電源部３２と、を含んで構成されている。電源部３０は、第１電圧Ｖ１と第２電圧Ｖ２との間の大きさの第３電圧Ｖ３を生成する第３電源部３３をさらに含んで構成されていてもよい。また、電源部３０は、電池４０が出力する電圧Ｖｂａｔに基づいて電圧Ｖｒｅｇを生成するレギュレーター３４をさらに含んで構成されていてもよい。
【００４５】
第１電源部３１、第２電源部３２及び第３電源部３３は、レギュレーター３４が出力する電圧Ｖｒｅｇを昇圧するチャージポンプ回路（昇圧回路）を含んで構成されている。第１電源部３１は、電圧Ｖｒｅｇに基づいて第１電圧Ｖ１（例えば、５Ｖ）を生成する。第２電源部３２は、電圧Ｖｒｅｇに基づいて第２電圧Ｖ２（例えば、１５Ｖ）を生成する。第３電源部３３は、電圧Ｖｒｅｇに基づいて第３電圧Ｖ３（例えば、７．５Ｖ）を生成する。
【００４６】
電源部３０は、第１電圧Ｖ１を、出力Ｖｏ１として駆動部１０の共通電源変調回路１３に出力する。また、電源部３０は、第１電圧Ｖ１を、出力ＶＤＤＸとしてデータ線駆動回路１１に出力する。電源部３０は、第１電圧Ｖ１又は第２電圧Ｖ２を、出力Ｖｏ２として共通電源変調回路１３に出力する。図４に示される例では、電源部３０は、出力Ｖｏ２として第１電圧Ｖ１又は第２電圧Ｖ２を選択するスイッチＳＷを有して構成されている。なお、スイッチＳＷは、電源部３０ではなく共通電源変調回路１３に設けられていてもよい。電源部３０は、第３電圧Ｖ３を出力ＶＤＤＹとして走査線駆動回路１２に出力する。
【００４７】
図１に戻り、駆動部１０は、温度検出部２０が検出した温度が基準値以上の場合に、第２電源部３２を停止させ、第１電圧Ｖ１に基づいて電気泳動表示装置１００を駆動し、温度検出部２０が検出した温度が基準値未満の場合に、第２電圧Ｖ２に基づいて電気泳動表示装置１００を駆動する。
【００４８】
図１及び図４に示される例では、温度検出部２０が検出した温度が基準値以上であるか否かを、駆動部１０の制御部１４が判定する。制御部１４は、制御信号Ｓ１１を第２電源部３２に出力することによって、第２電源部３２を停止させたり動作させたりを切り替える。また、制御部１４は、制御信号Ｓ１２をスイッチＳＷ出力することによって、電源部３０の出力Ｖｏ２として、第１電圧Ｖ１と第２電圧Ｖ２のいずれかを選択する。
【００４９】
電気泳動表示装置１００の書き換え速度は温度に依存し、低温時には書き換え速度が遅くなる傾向にある。本実施形態に係る駆動装置１によれば、温度が基準値以上の場合には第２電源部３２を停止させるので、消費電力を低減できる駆動装置１を実現できる。
【００５０】
上述の駆動装置１において、第１電圧Ｖ１は、データ線駆動回路１１の駆動電圧又は走査線駆動回路１２の駆動電圧であってもよい。本実施形態においては、第１電源部３１が出力する第１電圧Ｖ１を、データ線駆動回路１１の駆動電圧としても用いている。すなわち、第１電圧Ｖ１は、データ線駆動回路１１の駆動電圧である。
【００５１】
本実施形態によれば、電気泳動表示装置１００の２つの電極（画素電極４４０及び共通電極４５０）の間に供給する電圧と、データ線駆動回路１１の駆動電圧又は走査線駆動回路１２の駆動電圧とに、第１電圧Ｖ１を用いることができるので、第１電源部３１を共用できる。したがって、消費電力を低減できる駆動装置１を実現できる。
【００５２】
２．駆動方法
図５は、本実施形態に係る駆動方法の概要を示すフローチャートである。以下では、本実施形態に係る駆動方法を、上述の駆動装置１を用いて実現する例について説明する。
【００５３】
本実施形態に係る駆動方法は、２つの電極（画素電極４４０及び共通電極４５０）と、２つの電極（画素電極４４０及び共通電極４５０）の間に配置された電気泳動粒子（白色粒子４３１及び黒色粒子４３２）を含む電気泳動素子４００と、を含み、少なくとも第１色と第２色とを表示可能な電気泳動表示装置１００の、２つの電極（画素電極４４０及び共通電極４５０）の間に電圧を供給して電気泳動表示装置１００を駆動する駆動方法であって、温度検出工程と、第１駆動工程と、第２駆動工程と、を含む。
【００５４】
まず、温度を検出する温度検出工程を行う（ステップＳ１００）。本実施形態においては、温度検出部２０が温度を検出する。温度検出部２０は、検出した温度に関する情報を駆動部１０の制御部１４に出力する。
【００５５】
ステップＳ１００の後に、ステップＳ１０２で検出された温度が基準値以上であるか否かを判定する判定工程を行う（ステップＳ１０２）。本実施形態においては、制御部１４が判定工程を行う。
【００５６】
ステップＳ１０２で検出された温度が基準値以上であると判定された場合（ステップＳ１０２でＹＥＳの場合）には、第１電圧Ｖ１を生成し、第１電圧Ｖ１に基づいて電気泳動表示装置１００を駆動する第１駆動工程を行う（ステップＳ１０４）。本実施形態においては、第１電源部３１が第１電圧Ｖ１を生成し、駆動部１０が第１電圧Ｖ１に基づいて電気泳動表示装置１００を駆動する。
【００５７】
また、第１駆動工程においては、第２駆動工程で用いる第２電圧Ｖ２を生成しない。本実施形態においては、制御部１４が第２電源部３２を停止させる。
【００５８】
ステップＳ１０２で検出された温度が基準値未満であると判定された場合（ステップＳ１０２でＮＯの場合）には、第１電圧Ｖ１よりも高い第２電圧Ｖ２を生成し、第２電圧Ｖ２に基づいて電気泳動表示装置１００を駆動する第２駆動工程を行う（ステップＳ１０６）。本実施形態においては、第２電源部３２が第２電圧Ｖ２を生成し、駆動部１０が第２電圧Ｖ２に基づいて電気泳動表示装置１００を駆動する。
【００５９】
電気泳動表示装置１００の書き換え速度は温度に依存し、低温時には書き換え速度が遅くなる傾向にある。本実施形態に係る駆動方法によれば、温度が基準値以上の場合には第２電圧Ｖ２を生成しないので、消費電力を低減できる駆動方法を実現できる。
【００６０】
３．電子機器
図６（Ａ）及び図６（Ｂ）は、本実施形態に係る電子機器の例の外観図である。
【００６１】
図６（Ａ）は電子機器の１つである電子時計１０００の正面図である。電子時計１０００は、駆動装置１（不図示）と、電気泳動表示装置１００（表示部１００４を除き不図示）と、を含んで構成されている。電子時計１０００は、例えば腕時計であり、時計ケース１００２と、時計ケース１００２に連結された一対のバンド１００３とを備える。時計ケース１００２の正面には、電気泳動表示装置１００の表示部１００４が設けられ、時刻表示１００５を行っている。時計ケース１００２の側面には、２つの操作ボタン１０１１と１０１２とが設けられ、入力部として機能する。
【００６２】
図６（Ｂ）は電子機器の１つである電子ペーパー１１００の斜視図である。電子ペーパー１１００は、駆動装置１（不図示）と、電気泳動表示装置１００（表示領域１１０１を除き不図示）と、を含んで構成されている。電子ペーパー１１００は可撓性を有し、電気泳動表示装置１００の表示領域１１０１と、本体１１０２とを備えている。
【００６３】
これらの電子機器（電子時計１０００及び電子ペーパー１１００）によれば、消費電力を低減できる駆動装置１を含んでいるので、消費電力を低減できる電子機器を実現できる。
【００６４】
以上、本実施形態あるいは変形例について説明したが、本発明はこれら本実施形態あるいは変形例に限られるものではなく、その要旨を逸脱しない範囲において種々の態様で実施することが可能である。
【００６５】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００６６】
１…駆動装置、１０…駆動部、１１…データ線駆動回路、１２…走査線駆動回路、１３…共通電源変調回路、１４…制御部、２０…温度検出部、３０…電源部、３１…第１電源部、３２…第２電源部、３３…第３電源部、３４…レギュレーター、４０…電池、１００…電子機器、１１０…電気泳動表示装置、１１１…データ線、１１２…走査線、１１３，１１３Ａ，１１３Ｂ…画素、１２０…共通電極配線、１２１…第１パルス信号線、１２２…第２パルス信号線、１２３…高電位電源線、１２４…低電位電源線、１２５…高電位電源線、１２６…高電位電源線、２００…駆動用ＴＦＴ、２０１…ラッチ回路、２０１ｆ…帰還インバーター、２０１ｔ…転送インバーター、２０２…スイッチ回路、４００…電気泳動素子、４１０…素子基板、４２０…対向基板、４３０…マイクロカプセル、４３１…白色粒子、４３２…黒色粒子、４４０，４４０Ａ，４４０Ｂ…画素電極、４５０…共通電極、１０００…腕時計、１００２…時計ケース、１００３…バンド、１００４…表示部、１００５…時刻表示、１０１１…操作ボタン、１０１２…操作ボタン、１１００…電子ペーパー、１１０１…表示領域、１１０２…本体、１４１０…画素電極層、１４２０…共通電極層、１４３０…電気泳動表示層、ＳＷ…スイッチ、ＴＧ１，ＴＧ２…トランスミッションゲート
【図１】
2015184521.tif 000003
【図２】
2015184521.tif 000004
【図３】
2015184521.tif 000005
【図４】
2015184521.tif 000006
【図５】
2015184521.tif 000007
【図６】
2015184521.tif 000008